【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
ニアアイディスプレイシステムであって、
光ビームを生成するように構成されるレーザダイオードであって、前記光ビームは、可視スペクトル内の波長を有する、レーザダイオードと、
前記レーザダイオードに結合される変調器であって、前記変調器は、前記レーザダイオードを駆動するための電流を変動させるように構成される、変調器と、
前記レーザダイオードに光学的に結合される拡散器であって、前記拡散器は、ランダムパターン表面または擬似ランダム表面を備え、前記ランダムパターン表面または前記擬似ランダム表面は、前記光ビームを含む複数の光ビームを前記ランダムパターン表面または前記擬似ランダム表面からバウンスさせ、反射されたビームとして前記レーザダイオードの中に戻るように散乱させ、無秩序レーザパターンを生成するように構成される、拡散器と、
前記拡散器に光学的に結合される２Ｄ空間光変調器と
を備え、
前記拡散器はまた、前記光ビームの透過した部分が、それを通過して前記２Ｄ空間光変調器上に進むことを可能するように構成される、ニアアイディスプレイシステム。
【請求項２】
前記変調器は、少なくとも、第２の無秩序レーザパターンに基づいて、前記電流を変動させる、請求項１に記載のニアアイディスプレイシステム。
【請求項３】
前記変調器の電力の変動は、少なくとも、前記拡散器の構造に基づく、請求項２に記載のニアアイディスプレイシステム。
【請求項４】
前記拡散器の前記レーザダイオードと反対側上に配置される第２の拡散器であって、前記第２の拡散器は、前記光ビームの第２の部分を受け取る、第２の拡散器
をさらに備える、請求項１に記載のニアアイディスプレイシステム。
【請求項５】
レンズであって、前記レンズは、前記拡散器の前記レーザダイオードと反対側上に配置され、前記拡散器を通して通過する前記光ビームの第２の部分を受け取る、レンズと、
マルチモードファイバであって、前記マルチモードファイバは、前記レンズの前記拡散器と反対側上に配置され、前記光ビームの前記第２の部分が前記マルチモードファイバを通して進行するにつれて、前記光ビームの前記第２の部分のタイミングを修正し、前記マルチモードファイバは、近位端と、遠位端とを有し、前記遠位端は、前記光ビームの前記第２の部分が前記レンズを通して進行した後、前記光ビームの前記第２の部分を受け取り、前記遠位端は、光源に対応する、マルチモードファイバと
をさらに備える、請求項１に記載のニアアイディスプレイシステム。
【請求項６】
投影光源と、
ビームスプリッタであって、前記ビームスプリッタは、前記拡散器の前記レーザダイオードと反対側上に配置され、前記投影光源および前記拡散器からの光を受け取る、ビームスプリッタと、
前記ビームスプリッタからの光を受け取るためのマイクロディスプレイと
をさらに備える、請求項１に記載のニアアイディスプレイシステム。
【請求項７】
前記マイクロディスプレイは、シリコン上液晶またはデジタル光プロセッサのうちの少なくとも１つを備える、請求項６に記載のニアアイディスプレイシステム。
【請求項８】
前記光ビーム内の不規則性を平滑化し、均一パターンを作成するホモジナイザをさらに備える、請求項１に記載のニアアイディスプレイシステム。
【請求項９】
前記２Ｄ空間光変調器は、シリコン上液晶２Ｄ空間光変調器を備える、請求項１に記載のニアアイディスプレイシステム。
【請求項１０】
前記２Ｄ空間光変調器に光学的に結合される導波管接眼レンズをさらに備える、請求項１に記載のニアアイディスプレイシステム。
【請求項１１】
マイクロディスプレイと前記導波管接眼レンズとの間に配置される投影レンズをさらに備える、請求項１０に記載のニアアイディスプレイシステム。
【請求項１２】
前記導波管接眼レンズは、内部結合格子を含み、前記投影レンズは、光を前記内部結合格子の中に結合するように位置付けられる、請求項１１に記載のニアアイディスプレイシステム。
【請求項１３】
前記投影レンズと前記２Ｄ空間光変調器との間に配置される偏光ビームスプリッタをさらに備える、請求項１１に記載のニアアイディスプレイシステム。
【請求項１４】
前記拡散器と前記偏光ビームスプリッタとの間に位置付けられる照明側コリメートレンズをさらに備える、請求項１３に記載のニアアイディスプレイシステム。
【請求項１５】
前記導波管接眼レンズは、内部結合格子と、前記導波管接眼レンズを通して前記内部結合格子に結合される射出瞳拡張格子とを含む、請求項１０に記載のニアアイディスプレイシステム。
【手続補正２】
【補正対象書類名】明細書
【補正対象項目名】００１３
【補正方法】変更
【補正の内容】
【００１３】
本開示の実施形態、目的、および利点のさらなる詳細は、下記の詳細な説明、図面、および請求項に説明される。前述の一般的説明および以下の詳細な説明は両方とも、例示的および説明的であって、本開示の範囲に関して限定することを意図するものではない。
本願明細書は、例えば、以下の項目も提供する。
（項目１）
レーザスペックリングを低減させるための結像システムであって、前記結像システムは、
光ビームを生成するためのダイオードレーザであって、前記光ビームは、可視スペクトル内の波長を有する、ダイオードレーザと、
前記ダイオードレーザを駆動するための電流を変動させるための変調器と、
前記光ビームを受け取るための拡散器であって、前記拡散器は、前記光ビームの一部を前記レーザダイオードの中に反射された光ビームとして戻るように反射させ、無秩序レーザパターンを生成するように構成される、拡散器と
を備える、結像システム。
（項目２）
前記変調器は、少なくとも、第２の無秩序レーザパターンに基づいて、前記電流を変動させる、項目１に記載の結像システム。
（項目３）
前記変調器の電力の変動は、少なくとも、前記拡散器の構造に基づく、項目２に記載の結像システム。
（項目４）
前記拡散器の前記レーザダイオードと反対側上に配置される第２の拡散器であって、前記第２の拡散器は、前記光ビームの第２の部分を受け取る、第２の拡散器
をさらに備える、項目１に記載の結像システム。
（項目５）
レンズであって、前記レンズは、前記拡散器の前記レーザダイオードと反対側上に配置され、前記拡散器を通して通過する前記光ビームの別の部分を受け取る、レンズと、
マルチモードファイバであって、前記マルチモードファイバは、前記レンズの前記拡散器と反対側上に配置され、前記光ビームの一部がマルチモードファイバを通して進行するにつれて、前記光ビームの一部のタイミングを修正し、前記マルチモードファイバは、近位端と、遠位端とを有し、前記遠位端は、前記光ビームの一部が前記レンズを通して進行した後、前記光ビームの一部を受け取り、前記遠位端は、光源に対応する、マルチモードファイバと
をさらに備える、項目１に記載の結像システム。
（項目６）
投影光源と、
ビームスプリッタであって、前記ビームスプリッタは、前記拡散器の前記レーザダイオードと反対側上に配置され、前記投影光源および前記拡散器からの光を受け取る、ビームスプリッタと、
前記ビームスプリッタからの光を受け取るためのマイクロディスプレイと
をさらに備える、項目１に記載の結像システム。
（項目７）
前記マイクロディスプレイは、シリコン上液晶またはデジタル光プロセッサのうちの少なくとも１つを備える、項目６に記載の結像システム。
（項目８）
前記光ビーム内の不規則性を平滑化し、均一パターンを作成するホモジナイザをさらに備える、項目１に記載の結像システム。
（項目９）
ニアアイディスプレイシステムであって、
レーザダイオードと、
前記レーザダイオードに結合される変調器と、
前記レーザダイオードに光学的に結合される拡散器と、
前記拡散器に光学的に結合される２Ｄ空間光変調器と
を備える、ニアアイディスプレイシステム。
（項目１０）
前記２Ｄ空間光変調器は、シリコン上液晶２Ｄ空間光変調器を備える、項目９に記載のニアアイディスプレイシステム。
（項目１１）
前記２Ｄ空間光変調器に光学的に結合される導波管接眼レンズをさらに備える、項目９に記載のニアアイディスプレイシステム。
（項目１２）
マイクロディスプレイと前記導波管接眼レンズとの間に配置される投影レンズをさらに備える、項目１１に記載のニアアイディスプレイシステム。
（項目１３）
前記導波管接眼レンズは、内部結合格子を含み、前記投影レンズは、光を前記内部結合格子の中に結合するように位置付けられる、項目１２に記載のニアアイディスプレイシステム。
（項目１４）
前記投影レンズと前記２Ｄ空間光変調器との間に配置される偏光ビームスプリッタをさらに備える、項目１２に記載のニアアイディスプレイシステム。
（項目１５）
前記拡散器と前記偏光ビームスプリッタとの間に位置付けられる照明側コリメートレンズをさらに備える、項目１４に記載のニアアイディスプレイシステム。
（項目１６）
前記導波管接眼レンズは、内部結合格子と、前記導波管接眼レンズを通して前記内部結合格子に結合される射出瞳拡張格子とを含む、項目１１に記載のニアアイディスプレイシステム。